(57)【要約】【課題】  インターネット・オークション等において、意図的な駆け込み入札が行いにくいオークション環境を実現する。【解決手段】  入札時点のあった時点が入札期限の２日前であれば（ＳＡ２でＹＥＳ、ＳＡ３でＮＯ）、その時点における最高値に対する最低上乗せ価格である入札単位（Ａ）を、それ以前の所定の入札単位（Ｎ）の２倍に設定する（ＳＡ４）。さらに、入札時点のあった時点が入札期限の１日前になったら（ＳＡ２，ＳＡ３がＹＥＳ）、その時点の入札単位（Ａ）を、所定の入札単位（Ｎ）の３倍に設定する（ＳＡ５）。入札期限の間際だけの入札を不利とし、意図的な駆け込み入札による利点を半減させる。【選択図】      図４
2010134969.tif 000002
【特許請求の範囲】
【請求項１】
通信回線を介して参加するオークションの運営に際して入札価格を管理する方法であって、
入札期間の残りが所定期間に達した後、直前の途中価格に加算又は減算可能な最小の価格幅を、それ以前よりも増加させることを特徴とする入札価格管理方法。
【請求項２】
入札期間の残りが所定期間に達した後、前記最小の価格幅を漸次増加させることを特徴とする請求項１記載の入札価格管理方法。
【請求項３】
さらに、前記最小の価格幅を、最高値が入札されてから所定期間が経過した後にも、それ以前よりも増加させることを特徴とする請求項１又は２記載の入札価格管理方法。
【請求項４】
さらに、直前の途中価格が入札されてから所定期間が経過した直後の１回目の入札に適用する前記最小の価格幅を、それ以前よりも増加させることを特徴とする請求項１又は２記載の入札価格管理方法。
【請求項５】
通信回線を介して参加するオークションの運営に際して入札価格を管理する方法であって、
途中価格が入札されてから所定期間が経過した後、直前の途中価格に加算又は減算可能な最小の価格幅を、それ以前よりも増加させることを特徴とする入札価格管理方法。
【請求項６】
通信回線を介して参加するオークションの運営に際して入札価格を管理する方法であって、
直前の途中価格が入札されてから所定期間が経過した直後の１回目の入札に適用する、直前の途中価格に加算又は減算可能な最小の価格幅を、それ以前よりも増加させることを特徴とする入札価格管理方法。
【請求項７】
通信回線を介して参加するオークションの運営に用いられるとともに入札価格を管理する装置であって、
入札期限に関する期限情報を記憶する記憶手段と、
この記憶手段が記憶する期限情報に基づき入札期限までの残存期間を演算する演算手段と、
この演算手段による演算結果が所定期間となることに伴い、直前の途中価格に加算又は減算可能な最小の価格幅を、それ以前より大きな価格幅に設定する設定手段と
を備えたことを特徴とする入札価格管理装置。
【請求項８】
通信回線を介して参加するオークションの運営に用いられるとともに入札価格を管理する装置であって、
入札期限に関する期限情報を記憶する記憶手段と、
途中価格が入札されてからの経過期間を取得する取得手段と、
この取得手段により取得された経過期間が所定期間に達することに伴い、直前の途中価格に加算又は減算可能な最小の価格幅を、それ以前よりも大きな価格幅に設定する設定手段と
を備えたことを特徴とする入札価格管理装置。
【請求項９】
通信回線を介して参加するオークションの運営に用いられるとともに入札価格を管理する装置であって、
入札期限に関する期限情報を記憶する記憶手段と、
途中価格が入札されてからの経過期間を取得する取得手段と、
この取得手段により取得された経過期間が所定期間に達した直後の１回目の入札に適用する、直前の途中価格に加算又は減算可能な最小の価格幅を、それ以前よりも大きな価格幅に設定する設定手段と
を備えたことを特徴とする入札価格管理装置。
【発明の詳細な説明】
【技術分野】
【０００１】
本発明は、インターネット等の通信回線を介して参加するオークションの運営に際して入札価格を管理する入札価格管理方法および入札価格管理装置に関する。
【背景技術】
【０００２】
近年、インターネットの普及に伴いＷｅｂサイトでは各種のオークションが開催されており、パーソナルコンピュータ等を所定のＷｅｂサイトへ接続すれば、誰もが家庭に居ながらにして参加できる環境が実現されている。
【０００３】
かかるオークションでは、出品されている各商品等にオークション期間（入札期限）が決められており、また、入札に際しては、決められた入札単位（最小の上乗せ価格）で、その時点の最高価格よりも高い金額を付けるシステムが多い。また、オークションの開催者によっては、参加者に対して、高値更新通知（ほかの入札者が参加者の入札金額より高い価格を付けたときに電子メールで通知する）や最高額入札者（低落札価格が設定されているオークションにおいて、終了２４時間前に参加者が最高額入札者となったとき電子メールで通知する）などの通知サービスや、入札期限５分以内に高値更新された場合は５分間の期限延長をする延長サービス等の各種サービスを行っているところもある。
【発明の概要】
【発明が解決しようとする課題】
【０００４】
しかしながら、上記のオークションにおいては、入札期限ぎりぎりに、その時点の最高価格に最小価格である入札単位分だけを上乗せして入札し、落札することにより、自己の落札価格の上昇を操作するという入札手法（以下、「意図的な駆け込み入札」という）が存在している。これは参加者全員が同時に参加する従来型のオークションでは有り得ない、インターネット・オークション特有の問題点であって、前述した通知サービスによっても、他の参加者が故意に入札期限ぎりぎりに入札するとそれらの通知も間に合わず、また、延長サービスがあっても、入札期限に他の参加者の入札状況を監視していないと分からなかった。
【０００５】
このため意図的な駆け込み入札の存在により他の参加者の再入札の機会が少なくなり、またフェアではないことから、公平な価格形成を阻害する要因となっており、かかる意図的な駆け込み入札をいかにして排除するかが問題となっていた。
【０００６】
本発明は、かかる従来の課題に鑑みてなされたものであり、意図的な駆け込み入札が行いにくいオークション環境が実現可能となる入札価格管理方法および入札価格管理装置を提供することを目的とする。
【課題を解決するための手段】
【０００７】
前記課題を解決するために請求項１の入札価格管理方法にあっては、通信回線を介して参加するオークションの運営に際して入札価格を管理する方法であって、入札期間の残りが所定期間に達した後、直前の途中価格に加算又は減算可能な最小の価格幅、すなわち通常のオークションにおける入札直前までの最高値に上乗せ可能な最小価格や、いわゆる逆オークションにおける入札直前までの最安値から差し引き可能な最小価格の幅を、それ以前よりも増加させるものとした。
【０００８】
かかる方法によれば、入札期限の間際の入札を不利とすることによって、入札期限の直前に行われる意図的な駆け込み入札による利点を半減させることができる。
【０００９】
また、請求項２の発明にあっては、入札期間の残りが所定期間に達した後、前記最小の価格幅を漸次増加させるものとした。
【００１０】
かかる方法によれば、入札期限の直前に行われる意図的な駆け込み入札による利点をより一層減少させることができる。
【００１１】
また、請求項３の発明にあっては、さらに、前記最小の価格幅を、最高値が入札されてから所定期間が経過した後にも、それ以前よりも増加させるものとした。
【００１２】
かかる方法によれば、さらに、入札期限の直前に行われる意図的な駆け込み入札による利点をより一層減少させることができる。
【００１３】
また、請求項４の発明にあっては、さらに、直前の途中価格が入札されてから所定期間が経過した直後の１回目の入札に適用する前記最小の価格幅を、それ以前よりも増加させるものとした。
【００１４】
かかる方法によれば、さらに、入札期限の直前に行われる意図的な駆け込み入札による利点をより一層減少させることができる。
【００１５】
また、請求項５の発明にあっては、通信回線を介して参加するオークションの運営に際して入札価格を管理する方法であって、途中価格が入札されてから所定期間が経過した後、直前の途中価格に加算又は減算可能な最小の価格幅を、それ以前よりも増加させるものとした。
【００１６】
かかる方法によれば、途中価格が継続して維持された後の入札が不利になるため、入札期限の直前に行われる意図的な駆け込み入札による利点を減少させることができる。
【００１７】
また、請求項６の発明にあっては、通信回線を介して参加するオークションの運営に際して入札価格を管理する方法であって、直前の途中価格が入札されてから所定期間が経過した直後の１回目の入札に適用する、直前の途中価格に加算又は減算可能な最小の価格幅を、それ以前よりも増加させるものとした。
【００１８】
かかる方法によれば、途中価格が継続して維持された直後の入札が不利になるため、入札期限の直前に行われる意図的な駆け込み入札による利点を減少させることができる。
【００１９】
また、請求項７の入札価格管理装置にあっては、通信回線を介して参加するオークションの運営に用いられるとともに入札価格を管理する装置であって、入札期限に関する期限情報を記憶する記憶手段と、この記憶手段が記憶する期限情報に基づき入札期限までの残存期間を演算する演算手段と、この演算手段による演算結果が所定期間となることに伴い、直前の途中価格に加算又は減算可能な最小の価格幅を、それ以前より大きな価格幅に設定する設定手段とを備えたものとした。
【００２０】
かかる構成においては、入札期限の間際だけ、直前の途中価格、すなわち通常のオークションにおける入札直前までの最高値に上乗せ可能な最小価格や、いわゆる逆オークションにおける入札直前までの最安値から差し引き可能な最小価格の幅が増加する。したがって、入札期限の間際の入札を不利とすることによって、入札期限の直前に行われる意図的な駆け込み入札による利点を半減させることができる。
【００２１】
また、請求項８の発明にあっては、通信回線を介して参加するオークションの運営に用いられるとともに入札価格を管理する装置であって、入札期限に関する期限情報を記憶する記憶手段と、途中価格が入札されてからの経過期間を取得する取得手段と、この取得手段により取得された経過期間が所定期間に達することに伴い、直前の途中価格に加算又は減算可能な最小の価格幅を、それ以前よりも大きな価格幅に設定する設定手段とを備えたものとした。
【００２２】
かかる構成においては、途中価格が入札されてから所定期間が経過した後、直前の途中価格に加算又は減算可能な最小の価格幅が、それ以前よりも増加する。したがって、途中価格が継続して維持された後の入札が不利になるため、入札期限の直前に行われる意図的な駆け込み入札による利点を減少させることができる。
【００２３】
また、請求項９の発明にあっては、通信回線を介して参加するオークションの運営に用いられるとともに入札価格を管理する装置であって、入札期限に関する期限情報を記憶する記憶手段と、途中価格が入札されてからの経過期間を取得する取得手段と、この取得手段により取得された経過期間が所定期間に達した直後の１回目の入札に適用する、直前の途中価格に加算又は減算可能な最小の価格幅を、それ以前よりも大きな価格幅に設定する設定手段とを備えたものとした。
【００２４】
かかる構成においては、直前の途中価格が入札されてから所定期間が経過した直後の１回目の入札に適用する、直前の途中価格に加算又は減算可能な最小の価格幅が、それ以前よりも増加する。したがって、途中価格が継続して維持された直後の入札だけが不利になるため、入札期限の直前に行われる意図的な駆け込み入札による利点を減少させることができる。
【発明の効果】
【００２５】
以上説明したように本発明においては、入札期限の間際だけの入札を不利とすることによって、入札期限の直前に行われる意図的な駆け込み入札による利点を半減させることができるようにした。よって、意図的な駆け込み入札が行いにくくなり、公平な価格形成が維持できるオークション環境を実現することが可能となる。
【００２６】
また、他の本発明においては、途中価格が継続して維持された後の入札を不利とすることにより、入札期限の直前に行われる意図的な駆け込み入札による利点を減少させることができる。よって、意図的な駆け込み入札が行いにくくなり、公平な価格形成が維持できるオークション環境を実現することが可能となる。
【００２７】
また、他の本発明においては、途中価格が継続して維持された直後の入札だけを不利とすることにより、入札期限の直前に行われる意図的な駆け込み入札による利点を減少させることができる。よって、意図的な駆け込み入札が行いにくくなり、公平な価格形成が維持できるオークション環境を実現することが可能となる。
【図面の簡単な説明】
【００２８】
【図１】本発明の一実施の形態を示すネットワーク・オークション・システムの構成図である。
【図２】オークションサーバを示すブロック図である。
【図３】（ａ）は記憶手段に記憶されている入札基本データファイル、（ｂ）は同記憶手段に記憶されている入札管理用ファイルのデータ構成を示す模式図である。
【図４】本発明の第１の実施の形態に係るＣＵＰの入札価格管理動作を示すフローチャートである。
【図５】本発明の第２の実施の形態に係るＣＵＰの他の入札価格管理動作を示すフローチャートである。
【図６】本発明の第３の実施の形態に係るＣＵＰの他の入札価格管理動作を示すフローチャートである。
【発明を実施するための形態】
【００２９】
以下、本発明の一実施の形態を図にしたがって説明する。
（第１の実施の形態）
図１は、本発明に係るネットワーク・オークション・システムの全体を示す構成図である。このシステムは、Ｗｅｂ上でオークション・サイトを運営するオークション開催者が有するオークションサーバ１と、インターネット２を介してオークションサーバ１へ接続された出品者端末３、及び入札者端末４・・・とから構成される。出品者端末３は、オークション・サイトへの出品者が、出品する商品の内容及び価格等の商品情報の情報をオークションサーバ１へ送るためのクライアント端末であり、入札者端末４・・・は、オークションへ参加する入札参加者が、希望商品や入札価格をオークションサーバ１へ送るためのクライアント端末である。なお、出品者端末３及び入札者端末４は、例えば電話回線を介してインターネット２への接続を可能とするモデム等の通信機器を備えるとともに、Ｗｅｂ閲覧機能を有するパーソナルコンピュータである。また、出品者が他の出品者の商品に対する入札に参加する場合には、同一のパーソナルコンピュータによって出品者端末３及び入札者端末４が構成される。
【００３０】
前記オークションサーバ１は、本発明の入札価格管理装置であり、図２に示すように、ＣＰＵ１１と、ＣＰＵ１１に接続された入力手段１２、出力手段１３、ＲＡＭ１４、記憶手段１５、通信手段１６、時計手段１７とを備えている。入力手段１２はキーボードやマウス等の装置であり、出力手段１３はＣＲＴやＬＣＤ等の表示装置やプリンタ等であって、入力手段１２及び出力手段１３は、主として管理者がオークションサーバ１の管理や保守を行う場合に使用される。通信手段１６は、インターネット２との間で大量のデータを送受信するための通信インターフェイスであり、電話回線等の公衆回線や、専用の通信回線を介してインターネット２と接続されている。前記時計手段１７はカレンダー機能を有する時計装置からなり、ＣＰＵ１１に対して現在の日付及び時刻データを供給する。
【００３１】
前記記憶手段１５は、大量のデータが記憶可能なハードディスク等をはじめとする各種の記憶装置によって構成されている。記憶手段１５には、オークションサーバ１の制御プログラムが記憶されており、ＣＰＵ１１がその制御プログラムに基づき動作し上記各部の制御を行うことにより、オークションサーバ１によるオークション・サイトの運営が可能となる。また、ＣＰＵ１１は、ＲＡＭ１４を作業用のメモリとして使用するとともに、記憶手段１５に記憶されている後述するデータや、時計手段１７から送られる日付及び時刻データに基づき各種のデータ処理を行うことにより本発明の演算手段、設定手段、取得手段として機能する。また、記憶手段１５には、前記制御プログラムと共に、図３に示した入札基本データファイル１５ａと、入札管理ファイル１５ｂとが記憶されている。
【００３２】
図３（ａ）に示した入札基本データファイル１５ａは、前記出品者端末３を介して出品者から依頼された各商品について出品時に設定された基本項目、すなわち商品番号、及びそれに対応する入札期限、入札初期時における開始価格、入札単位の各データ１０１〜１０４によって構成されている。なお、入札期限データには、出品者が当該商品の出品申し込み時に設定した入札期間に対応して自動的に計算した入札期限（時刻を含む）である。入札単位データ１０４は入札参加者が入札を行うとき上乗せ可能な最小価格であると同時に、入札価格の単位であり、出品申し込み時において出品者の希望により、或いはオークション開催者が所定の基準に従い設定された価格である。
【００３３】
図３（ｂ）に示した入札管理ファイル１５ｂは、入札期間中の管理に使用するデータ、すなわち商品番号、及びそれと対応する最高値、最高値の入札日時（最終入札日）、管理入札単位の各データ１０１，１０５〜１０７によって構成されている。最高値データ１０５は、入札期間中には途中価格を、入期間の終了時点では落札価格のデータであって、入札日時データ１０６と共に逐次更新される。管理入札単位データ１０７には、入札基本データファイル１５ａの入札単位データ１０４と同様の金額が初期データとして記憶されている。
【００３４】
次に、以上の構成からなるネットワーク・オークション・システムにおいて、オークションの開催中に前記オークションサーバ１のＣＰＵ１１により行われる入札価格管理動作を図４のフローチャートに従って説明する。
【００３５】
すなわち、ある商品について入札が開始された後、いずれかの入札者端末４から入札があると（ステップＳＡ１でＹＥＳ）、その時点が入札基本データファイル１５ａに記憶されている入札期限の２日以内であるか否かを判別する（ステップＳＡ２）。ここで、２日以内でないときには、入札価格が、その時点の最高値に、入札管理ファイル１５ｂに記憶されている管理入札単位（Ａ）を加算した価格以上であるか否かを引き続き判別する（ステップＳＡ６）。なお、入札が開始当初における管理入札単位（Ａ）は、入札基本データファイル１５ａに記憶されている入札単位と同一である。そして、ここで入札価格が上記の条件を満たしていれば、その入札価格を有効として登録する。つまり入札管理ファイル１５ｂの最高値データ１０５を更新する（ステップＳＡ７）。また、ステップＳＡ６の判別結果がＮＯであって、入札価格が、その時点の最高値に管理入札単位（Ａ）を加算した価格に満たないときには、入札価格を無効とし（ステップＳＡ８）、その時点の最高値を維持する。
【００３６】
また、前述したステップＳＡ２の判別結果がＹＥＳであって、入札があった時点が入札期限の２日以内であったときには、さらに、その時点が入札期限の１日以内であるか否かを判別する（ステップＳＡ３）。ここで、１日以内でなかったとき、つまり入札期限の２日前であったときには、管理入札単位（Ａ）を前記入札単位（Ｎ）の２倍に設定した後（ステップＳＡ４）、前述したステップＳＡ６へ進む。また、１日以内であったとき、つまり入札期限の１日前であったときには、管理入札単位（Ａ）を入札単位（Ｎ）を３倍に設定した後（ステップＳＡ５）、前述したステップＳＡ６へ進む。そして、以上の動作を入札期限まで継続する。
【００３７】
また、フローチャートに示さないが、オークションサーバ１においては、入札期限があと２日となった時点、及びあと１日となった時点においては、別途、Ｗｅｂ上に、その時点の最高値と共に、管理入札単位（Ａ）をその時点の入札単位（最低上乗せ価格）として表示する。
【００３８】
これにより、入札期間中においては、以下のように入札価格が以下のように管理される。例えばある商品が、開始価格１，０００円、入札単位１００円、入札期間１０日で登録（出品）された場合について考えると、入札参加者は、従来と同様に、入札が可能な１０日間の期間中、８日目までは入札単位の１００円ずつ高額に価格を設定して入札が可能となる。一方、９日目に入った時点で入札単位は２００円に設定され、それまでの最高入札価格が１８００円であったとすると、９日目では１，８００円＋２００円となり２，０００円が有効な入札価格となる。さらに１０日目（最終日）に入った時点では、入札単位は３００円に設定され、それまでの最高入札価格が２，０００円であったとすると、１０日目では２，０００円＋３００円となり、２，３００円が有効な入札価格となる。
【００３９】
したがって、以上の入札システムを事前に入札参加者に知らせることにより、最高値が更新されてから一定期間その最高値が維持され、最高値がほぼ決定した状態となる１０日目（入札期限）まで入札に参加せず、故意に終了直前に１００円という入札単位分だけをその時点の最高値に上乗せして落札権を獲得する、すなわち自己の落札価格の上昇を操作することの利点が半減することとなる。よって、意図的な駆け込み入札を極力排除することができる。その結果、入札参加者が不公平感を生じさせない公平な価格形成が維持できるオークション環境を実現することが可能となる。
【００４０】
なお、本実施の形態では、入札期限の２日前の時点から入札単位を増額し、１日前の時点で入札単位をさらに増額する、すなわち入札期限の直前の一定期間に入札単位を漸次増加させる場合を示したが、入札期限の直前の一定期間における入札単位を、それ以前の金額よりも１度だけ高く設定するようにしてもよい。その場合であっても、意図的な駆け込み入札を極力排除することができる。
【００４１】
（第２の実施の形態）
次に、本発明の第２の実施の形態について説明する。本実施の形態は、前述したオークションサーバ１の前記記憶手段１５に、以下の動作に関する制御プログラムが記憶されているものである。
【００４２】
以下、本実施の形態において、前記ＣＰＵ１１が実行する他の入札価格管理動作を図５のフローチャートに従って説明する。
【００４３】
すなわち、ある商品について入札が開始された後、いずれかの入札者端末４から入札があると（ステップＳＢ１でＹＥＳ）、その時点が、入札管理ファイル１５ｂに記憶されている最終入札日、つまりその時点の最高値が登録された日時から２日以上経過しているか否かを判別する（ステップＳＢ２）。ここで、２日以上経過していないときには、入札価格が、その時点の最高値に、入札管理ファイル１５ｂに記憶されている管理入札単位（Ａ）を加算した価格以上であるか否かを引き続き判別する（ステップＳＢ６）。なお、入札が開始当初における管理入札単位（Ａ）は、入札基本データファイル１５ａに記憶されている入札単位と同一である。そして、ここで入札価格が上記の条件を満たしていれば、その入札価格を有効として登録する。つまり入札管理ファイル１５ｂの最高値データ１０５を更新し（ステップＳＢ７）、さらに高値更新日時データ１０６を更新する（ステップＳＢ８）。また、ステップＳＢ６の判別結果がＮＯであって、入札価格が、その時点の最高値に入札単位（Ｎ）を加算した価格に満たないときには、入札価格を無効とし（ステップＳＢ９）、その時点の最高値を維持する。
【００４４】
また、前述したステップＳＢ２の判別結果がＹＥＳであって、入札があった時点が最終入札日から２日以上経過しているときには、さらに、最終入札日から３日以上経過しているか否かを判別する（ステップＳＢ３）。ここで、３日以上経過していなかったとき、つまり最終入札日から２日経過していたときには、管理入札単位（Ａ）を、入札管理ファイル１５ｂに記憶されている入札単位（Ｎ）の２倍に予め設定し（ステップＳＢ４）、３日以上経過しているときに、入札単位（Ｎ）を３倍に設定した後（ステップＳＢ５）、前述したステップＳＢ６へ進む。そして、以上の動作を入札期限まで継続する。
【００４５】
また、フローチャートに示さないが、オークションサーバ１においては、最終入札日から２日経過した時点、及び３日経過した時点においては、別途、Ｗｅｂ上に、その時点の最高値と共に、管理入札単位（Ａ）をその時点の入札単位（最低上乗せ価格）として表示する。
【００４６】
これにより、入札期間中においては、以下のように入札価格が以下のように管理される。例えばある商品が、開始価格１，０００円、入札単位１００円、入札期間１０日で登録（出品）された場合について考えると、入札参加者は、従来と同様に、入札が可能な１０日間の期間中、８日目までは入札単位の１００円ずつ高額に価格を設定して入札が可能となる。一方、ある時点でいずれかの入札参加者が最高値である１，８００円を入札した後に、２日間、他の有効な入札がない場合、その時点で入札単位が２００円に増加し、それ以後は、最高値１，８００＋２００である２，０００円が有効な入札価格となる。さらに、その後１日（都合３日間）、他の有効な入札がない場合、その時点で最低入札単位はさらに３００円に増加し、それまでの最高入札価格が２，０００円であったとすると、４日目からは２，０００円＋３００で２，３００円が有効な入札価格となる。
【００４７】
したがって、本実施の形態においても、意図的な駆け込み入札を行うことの利点を半減させることができ、意図的な駆け込み入札を極力排除することができる。その結果、入札参加者が不公平感を生じさせない公平な価格形成が維持できるオークション環境を実現することが可能となる。
【００４８】
なお、本実施の形態では、最終入札日から２日経過した時点から入札単位を増額し、３日経過した時点から入札単位をさらに増額する、すなわち最高値が更新された後に一定期間が経過したら入札単位を漸次増加させる場合を示したが、最高値が更新された後に一定期間が経過したら、その後の入札単位を、それ以前の金額よりも１度だけ高く設定するようにしてもよい。その場合であっても、意図的な駆け込み入札を極力排除することができる。
【００４９】
（第３の実施の形態）
次に、本発明の第３の実施の形態について説明する。本実施の形態は、前述したオークションサーバ１の前記記憶手段１５に、以下の動作に関する制御プログラムが記憶されているものである。
【００５０】
以下、本実施の形態において、前記ＣＰＵ１１が実行する他の入札価格管理動作を図６のフローチャートに従って説明する。
【００５１】
すなわち、ある商品について入札が開始された後、いずれかの入札者端末４から入札があると（ステップＳＣ１でＹＥＳ）、その時点が、入札管理ファイル１５ｂに記憶されている最終入札日、つまりその時点の最高値が登録された日時から２日以上経過しているか否かを判別する（ステップＳＣ２）。ここで、２日以上経過していないときには、入札価格が、その時点の最高値に、入札管理ファイル１５ｂに記憶されている管理入札単位（Ａ）を加算した価格以上であるか否かを引き続き判別する（ステップＳＣ４）。なお、入札が開始当初における管理入札単位（Ａ）は、入札基本データファイル１５ａに記憶されている入札単位（Ｎ）と同一である。そして、入札価格が上記条件を満たしていれば、その入札価格を有効として登録する。つまり入札管理ファイル１５ｂの最高値データ１０５を更新し（ステップＳＣ５）、高値更新日時データ１０６を更新した後（ステップＳＣ６）、管理入札単位（Ａ）として入札単位（Ｎ）を再設定する。
【００５２】
また、前述したステップＳＣ２の判別結果がＹＥＳであって、入札があった時点が最終入札日から２日以上経過しているときには、管理入札単位（Ａ）に入札単位（Ｎ）の２倍に設定した後（ステップＳＣ３）、前述したステップＳＣ４以降の処理を行う。その後、当該入札価格が有効であったときには、ステップＳＣ５〜ＳＣ７の処理が行われるとともに、ステップＳＣ７において管理入札単位（Ａ）が入札単位（Ｎ）に戻され、当該入札価格が無効であったときには、管理入札単位（Ａ）が入札単位（Ｎ）の２倍の状態が維持される。そして、以上の動作を入札期限まで継続する。
【００５３】
また、フローチャートに示さないが、オークションサーバ１においては、最終入札日から２日経過した後、次のいずれかの有効な入札があるまで間は、Ｗｅｂ上に、その時点の最高値と共に、管理入札単位（Ａ）をその時点の入札単位（最低上乗せ価格）として別途、表示する。
【００５４】
これにより、入札期間中においては、ある時点でいずれかの入札参加者が最高値である１，８００円を入札した後２日間、他の有効な入札がない場合には、その時点で入札単位は２００円に設定され、次の入札参加者の入札単位だけが２００円に設定される。つまり次の入札参加者は、最高値１，８００＋２００である２，０００円が有効な入札価格となる。
【００５５】
したがって、本実施の形態においても、意図的な駆け込み入札を行うことの利点を半減させることができ、意図的な駆け込み入札を極力排除することができる。その結果、入札参加者が不公平感を生じさせない公平な価格形成が維持できるオークション環境を実現することが可能となる。
【００５６】
（その他の実施の形態等）
なお、前述した第２及び第３の実施の形態に示した入札価格管理方法は、それぞれが第３の実施の形態で示した入札価格管理方法と組み合わせて実施するようにしてもよい。一例を上げると、第１の実施の形態におけるステップＳＡ２〜ＳＡ５（図４）の処理を、第２の実施の形態においては、図５に示したステップＳＢ２、又はステップＳＢ６の直前で行わせ、第３の実施の形態においては、図６に示したステップＳＣ２、又はステップＳＣ４の直前で行わせればよい。
【００５７】
また、その場合、及び第１〜第３の各実施の形態における、前述した入札単位に対する管理入札単位の増加幅や、管理入札単位（実際に適用される入札単位）における入札単位からの変更時点（適用開始時期）及びその適用期間の設定は、適宜設定すればよい。また、前記変更時点及びその適用期間を日にち単位で設定した場合についてのみ示したが、それらを時間単位で設定してもよい。また、前記増加幅を、それに設定された入札の開始価格に対応して商品毎に決めたり、前記変更時点及びその適用期間を、出品申し込み時に設定した入札期間に対応して商品毎に決めるようにしてもよい。
【００５８】
また、以上の実施の形態では、入札参加者が出品された商品の価格を競り上げる一般的なオークションを例に上げたが、これ以外にも本発明は、入札参加者が例えば買い入れ希望がある商品について、複数の入札参加者が当該商品の販売価格を競り下げる、いわゆる逆オークションにも採用可能であり、その場合であっても、意図的な駆け込み入札を行うことの利点を半減させることができ、それを極力排除することができる。その結果、入札参加者が不公平感を生じさせない公平な価格形成が維持できるオークション環境を実現することが可能となる。
【符号の説明】
【００５９】
１    オークションサーバ
２    インターネット
３    出品者端末
４    入札者端末
１１    ＣＰＵ
１５    記憶手段
１５ａ    入札基本データファイル
１５ｂ    入札管理ファイル
１０４    入札単位データ
１０５    最高値データ
１０６    高値更新日時データ
１０７    管理入札単位データ
【図１】
2010134969.tif 000003
【図２】
2010134969.tif 000004
【図３】
2010134969.tif 000005
【図４】
2010134969.tif 000006
【図５】
2010134969.tif 000007
【図６】
2010134969.tif 000008
【手続補正書】
【提出日】平成22年4月2日(2010.4.2)
【手続補正１】
【補正対象書類名】明細書
【補正対象項目名】０００７
【補正方法】変更
【補正の内容】
【０００７】
前記課題を解決するために請求項１の入札価格管理方法にあっては、記憶手段に直前の入札時刻を記憶する工程と、演算手段が直前の入札からの期間を計数する工程と、前記演算手段が直前の入札から所定期間が経過したことを検出する工程と、前記検出する工程において直前の入札から所定期間が経過したときに、設定手段が直前の入札価格に加算又は減算可能な最小の価格幅を、それ以前よりも増加させる工程とを有するものとした。
【手続補正２】
【補正対象書類名】明細書
【補正対象項目名】０００８
【補正方法】変更
【補正の内容】
【０００８】
また、請求項３の発明にあっては、通信回線を介して参加するオークションの運営に用いられるとともに入札価格を管理する装置であって、直前の入札時刻を記憶する記憶手段と、前記直前の入札からの経過期間を計数し、経過期間が所定期間に達したことを検出する演算手段と、この演算手段により計数された経過期間が所定期間に達した場合に、直前の途中価格に加算又は減算可能な最小の価格幅を、それ以前よりも大きな価格幅に設定する設定手段とを備えたものとした。
【手続補正３】
【補正対象書類名】明細書
【補正対象項目名】０００９
【補正方法】変更
【補正の内容】
【０００９】
かかる方法もしくは装置によれば、途中価格が継続して維持された後の入札が不利になるため、入札期限の直前に行われる意図的な駆け込み入札による利点を減少させることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
以上説明したように本発明においては、入札期限の間際だけの入札を不利とすることによって、入札期限の直前に行われる意図的な駆け込み入札による利点を減少させることができるようにした。よって、意図的な駆け込み入札が行いにくくなり、公平な価格形成が維持できるオークション環境を実現することが可能となる。
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】特許請求の範囲
【補正対象項目名】全文
【補正方法】変更
【補正の内容】
【特許請求の範囲】
【請求項１】
通信回線を介して参加するオークションの運営に際して入札価格を管理する装置が入札価格を管理する方法であって、
記憶手段に直前の入札時刻を記憶する工程と、
演算手段が直前の入札からの期間を計数する工程と、
前記演算手段が直前の入札から所定期間が経過したことを検出する工程と、
前記検出する工程において直前の入札から所定期間が経過したときに、設定手段が直前の入札価格に加算又は減算可能な最小の価格幅を、それ以前よりも増加させる工程と
を有することを特徴とする入札価格管理方法。
【請求項２】
前記増加させる工程は、前の入札の直後の１回目の入札に適用する入札価格に加算又は減算可能な最小の価格幅を、それ以前よりも増加させる工程であることを特徴とする請求項１記載の入札価格管理方法。
【請求項３】
通信回線を介して参加するオークションの運営に用いられるとともに入札価格を管理する装置であって、
直前の入札時刻を記憶する記憶手段と、
前記直前の入札からの経過期間を計数し、経過期間が所定期間に達したことを検出する演算手段と、
この演算手段により計数された経過期間が所定期間に達した場合に、直前の途中価格に加算又は減算可能な最小の価格幅を、それ以前よりも大きな価格幅に設定する設定手段と
を備えたことを特徴とする入札価格管理装置。
【請求項４】
前記設定手段は、前の入札の直後の１回目の入札に適用する入札価格に加算又は減算可能な最小の価格幅を、それ以前よりも増加させることを特徴とする請求項３記載の入札価格管理装置。